【手続補正書】
【提出日】平成26年7月15日(2014.7.15)
【手続補正１】
【補正対象書類名】明細書
【補正対象項目名】０００６
【補正方法】変更
【補正の内容】
【０００６】
例えば従来の一時保留部３１５は、図１９に示すように、円筒状のドラム２３と、１系統のテープ走行系２７Ａとにより構成されている。テープ走行系２７Ａは、透明な樹脂材料により構成された外テープ３０Ａ及び内テープ４０Ａ、並びにこれらをそれぞれ巻回した外リール３１Ａ及び内リール４１Ａ等とを有している。この外テープ３０Ａ及び内テープ４０Ａは、終端部が外リール３１Ａ及び内リール４１Ａにそれぞれ固定され、始端部がいずれもドラム２３の周側面に互いに重なるように固定されている。
【手続補正２】
【補正対象書類名】明細書
【補正対象項目名】０００８
【補正方法】変更
【補正の内容】
【０００８】
また図２０に示すように、外テープ３０Ａの始端側（ドラム側）と内テープ４０Ａの終端側（リール側）には、光を遮断する遮光領域ＳＡがそれぞれ形成されている。一時保留部３１５は、検出光を照射すると共に受光するテープセンサ３５Ａ及びテープセンサ４５Ａにより、透明部分に対応する「明」レベル又は遮光領域ＳＡに対応する「暗」レベルの受光信号を生成する。
【手続補正３】
【補正対象書類名】明細書
【補正対象項目名】００１７
【補正方法】変更
【補正の内容】
【００１７】
ここで、テープ走行系４２７Ｂ側におけるドラム２３の巻き径がテープ走行系２７Ａ側よりも大きい場合、テープセンサ４５Ａにより内テープ４０Ａの終端部分の遮光領域ＳＡを検出する前に外テープ４３０Ｂ及び内テープ４４０Ｂが終端部分に到達する可能性、換言すれば外テープ４３０Ｂ及び内テープ４４０Ｂが終端部分に到達したことを検出できない可能性がある。
【手続補正４】
【補正対象書類名】明細書
【補正対象項目名】００１９
【補正方法】変更
【補正の内容】
【００１９】
本発明は以上の点を考慮してなされたもので、安定的に稼働することができる媒体処理装置を提案しようとするものである。
【手続補正５】
【補正対象書類名】明細書
【補正対象項目名】００２２
【補正方法】変更
【補正の内容】
【００２２】
本発明によれば、巻取動作中に、互いに媒体を挟む１の内テープ及び１の外テープを組み合わせたテープ走行系のうちいずれのテープ走行系の内テープ又は外テープが終端部に到達したとしても、各テープ走行系にそれぞれ設けた検出部により、相違領域を検出して終端部に到達したことを確実に検出できるので、ドラムの回転を停止させて内テープ及び外テープの損傷を未然に防止することができる。かくして本発明は、安定的に稼働することができる媒体処理装置を実現できる。
【手続補正６】
【補正対象書類名】明細書
【補正対象項目名】００７６
【補正方法】変更
【補正の内容】
【００７６】
一方、外テープ３０Ａは、図４に示すように、従来の一時保留部４１５における外テープ３０Ａと同様、ドラム２３に固定される始端側の部分（以下これを始端部と呼ぶ）に、テープセンサ３５Ａの検出光を遮断する遮光領域ＳＡが形成されている。
【手続補正７】
【補正対象書類名】明細書
【補正対象項目名】００８０
【補正方法】変更
【補正の内容】
【００８０】
また内テープ４０Ａは、従来の一時保留部４１５における内テープ４０Ａと同様、内リール４１Ａに固定される終端側の部分（以下これを終端部と呼ぶ）に遮光領域ＳＡが形成されている。
【手続補正８】
【補正対象書類名】明細書
【補正対象項目名】０１１７
【補正方法】変更
【補正の内容】
【０１１７】
因みに外テープ１３０Ａ及び１３０Ｂは、外リール３１Ａ及び３１Ｂに巻回された外テープ１３０Ａ及び１３０Ｂが全て引き出される前に遮光領域ＳＡがテープセンサ３５Ａ及び１３５Ｂの位置に到達するよう、遮光領域ＳＡの終端からの長さが適切に定められている。
【手続補正９】
【補正対象書類名】明細書
【補正対象項目名】０１１８
【補正方法】変更
【補正の内容】
【０１１８】
また一時保留部１１５では、外リール３１Ａ及び３１Ｂからテープセンサ３５Ａ及び１３５Ｂまでの外テープ１３０Ａ及び１３０Ｂの経路長と、内リール４１Ａ及び４１Ｂからテープセンサ４５Ａ及び４５Ｂまでの内テープ４０Ａ及び４０Ｂ経路長とが互いに相違している。このため外テープ１３０Ａ及び１３０Ｂは、遮光領域ＳＡの終端からの長さが内テープ４０Ａ及び４０Ｂと相違している。
【手続補正１０】
【補正対象書類名】明細書
【補正対象項目名】０１２１
【補正方法】変更
【補正の内容】
【０１２１】
ステップＳＰ２１において制御部１２１は、ステップＳＰ１と同様、ドラム２３を巻取方向Ｒ１に回転させ、次のステップＳＰ２２に移る。
【手続補正１１】
【補正対象書類名】明細書
【補正対象項目名】０１２６
【補正方法】変更
【補正の内容】
【０１２６】
このように一時保留部１１５の制御部１２１は、ドラム２３を巻取方向Ｒ１に回転させる際、テープセンサ３５Ａ及び１３５Ｂ並びにテープセンサ４５Ａ及び４５Ｂ両方の受光信号を監視することにより、外テープ１３０Ａ及び１３０Ｂ並びに内テープ４０Ａ及び４０Ｂのいずれかが先に終端部に到達した時点でその回転を停止させるようになされている。
【手続補正１２】
【補正対象書類名】明細書
【補正対象項目名】０１３０
【補正方法】変更
【補正の内容】
【０１３０】
このため一時保留部１１５は、ドラム２３の巻取動作中に外テープ１３０Ａ及び１３０Ｂ並びに内テープ４０Ａ及び４０Ｂの少なくとも１本のテープ位置が終端部に到達した時点でドラム２３の巻取動作を停止させることができ、いずれのテープについても過大な張力が加えられることによる損傷を未然に防止することができる。
【手続補正１３】
【補正対象書類名】明細書
【補正対象項目名】０１３７
【補正方法】変更
【補正の内容】
【０１３７】
以上の構成によれば、第２の実施の形態による一時保留部１１５は、テープセンサ３５Ａ、１３５Ｂ、４５Ａ及び４５Ｂを設けると共に、外テープ１３０Ａ及び１３０Ｂ並びに内テープ４０Ａ及び４０Ｂの終端部に遮光領域ＳＡをそれぞれ設けた。そして一時保留部１１５の制御部１２１は、ドラム２３の巻取動作の際に、テープセンサ３５Ａ、１３５Ｂ、４５Ａ及び４５Ｂの受光信号を監視し、何れかが「暗」レベルとなり遮光領域ＳＡを検出した時点で当該ドラム２３の回転を停止させるようにした。このため一時保留部１１５は、ドラム２３の巻取動作中に外テープ１３０Ａ及び１３０Ｂ並びに内テープ４０Ａ及び４０Ｂのいずれかが先に終端部に到達した時点でドラム２３の巻取動作を直ちに停止させることができ、各テープに過大な張力が加えられることによる損傷を未然に防止することができる。
【手続補正１４】
【補正対象書類名】明細書
【補正対象項目名】０１４０
【補正方法】変更
【補正の内容】
【０１４０】
制御部２２１は、制御部１２１と同様、図示しないＣＰＵや記憶部等を有しており、ドラムの回転やテープの走行に関する制御等、種々の処理を行うようになされているものの、後述するテープ位置の判別処理手順ＲＴ４や第２の実施の形態における巻取処理手順ＲＴ３に代わる巻取処理手順ＲＴ５（後述する）等を実行する点が相違する。
【手続補正１５】
【補正対象書類名】明細書
【補正対象項目名】０１４２
【補正方法】変更
【補正の内容】
【０１４２】
ところで一時保留部２１５では、テープセンサ３５Ａからの受光信号のみが「暗」レベルであった場合、遮光領域ＳＡを検出したことになる。しかしながらこの場合、一時保留部２１５では、そのテープ位置が始端部であるとは限らず、終端部である可能性、すなわちテープ長のばらつき等の理由により他のテープよりも早く外テープ３０Ａのみが終端部に到達した可能性も考えられる。
【手続補正１６】
【補正対象書類名】明細書
【補正対象項目名】０１４９
【補正方法】変更
【補正の内容】
【０１４９】
すなわち制御部２２１は、一時保留部２１５が起動されると、起動時におけるテープ位置の判別処理手順ＲＴ４を開始し、ステップＳＰ３１へ移る。ステップＳＰ３１において制御部２２１は、各テープセンサから受光信号を取得し、それぞれが「明」レベル又は「暗」レベルのいずれであるかを判別した後、次のステップＳＰ３２へ移る。
【手続補正１７】
【補正対象書類名】明細書
【補正対象項目名】０１５６
【補正方法】変更
【補正の内容】
【０１５６】
また、ステップＳＰ３２においてステータスが「中間確定状態」であった場合、各テープが中間部にあるため、制御部２２１は次のステップＳＰ３６へ移る。
【手続補正１８】
【補正対象書類名】明細書
【補正対象項目名】０１７３
【補正方法】変更
【補正の内容】
【０１７３】
また制御部２２１は、テープ位置が終端部又は中間部であることが判明した状態で、紙幣制御部１１（図２）等から紙幣ＢＬを外部へ排出する指示を受け付けると、図６と対応する図１７に示す巻戻処理手順ＲＴ６を開始してステップＳＰ５１へ移る。
【手続補正１９】
【補正対象書類名】明細書
【補正対象項目名】０１９３
【補正方法】変更
【補正の内容】
【０１９３】
また一時保留部２１５は、その他の点においても第２の実施の形態による一時保留部１１５と同様の作用効果を奏し得る。